(57)【要約】【課題】照明装置が複数回に渡って発光する場合であっても、正確に露光又は測光する撮像装置、撮像システム、及び制御方法を得る。【解決手段】ＳＵＢ信号がＨｉからＬｏになったときに、電子シャッターが開けられて、測光用ＣＣＤ１３８が露光し、電荷を蓄積し始める。次に、センサゲート信号がＨｉになると、測光用ＣＣＤ１３８が電荷を出力する。これにより、測光データが出力される。ＳＵＢ信号がＬｏになったときからセンサゲート信号がＨｉになるまでの期間が露光期間Ｔ４である。次に、ＳＵＢ信号をＨｉにする。そして、１回目にＳＵＢ信号がＬｏになった時から撮像周期Ｔ３をおいた後に、ＳＵＢ信号をＬｏにする。ＳＵＢ信号をＬｏにすると、再度露光期間Ｔ４が開始され、測光用ＣＣＤ１３８が露光し、測光データを出力する。そして、撮像を終了する。【選択図】図４
2015088838.tif 000002
【特許請求の範囲】
【請求項１】
所定の発光周期で２回以上の所定発光回数だけ発光を行う照明装置と共に使用される撮像装置であって、
前記照明装置が照明光を発光する時期を制御する発光制御部と、
前記照明光が被写体に反射して生成される反射光を所定の撮像周期で前記所定発光回数と等しい所定撮像回数だけ撮像する撮像素子とを備え、
前記発光制御部は、前記所定撮像回数のうち初回の撮像が開始する時期よりも前に、前記所定発光回数のうち初回の発光が開始するように、かつ前記所定撮像回数のうち最終回の撮像が終了する時期よりも後に、前記所定発光回数のうち最終回の発光が終了するように、前記照明装置を制御する撮像装置。
【請求項２】
前記撮像装置は電子シャッターを備え、前記撮像装置が今回の撮像を終了してから少なくとも今回の発光が終了するまで前記電子シャッターが閉じる請求項１に記載の撮像装置。
【請求項３】
前記照明装置は、１回の発光につき所定の発光期間だけ発光を行い、
前記撮像素子は、１回の撮像につき所定の露光期間だけ露光して撮像を行い、
前記発光制御部は、前記撮像周期が前記発光周期よりも長い場合、全ての発光回数において前記露光期間が前記発光期間に含まれるように、初回の発光時期を制御する請求項１又は２に記載の撮像装置。
【請求項４】
前記発光制御部は、前記所定撮像回数のうち初回の撮像を開始する時期と、前記所定発光回数のうち初回の発光が開始する時期との期間が第１の不安定期間以上となるように、前記照明装置を制御する請求項１から３のいずれかに記載の撮像装置。
【請求項５】
前記発光制御部は、前記所定撮像回数のうち最終回の撮像を終了する時期と、前記所定発光回数のうち最終回の発光が終了する時期との期間が第２の不安定期間以上となるように、前記照明装置を制御する請求項１から４のいずれかに記載の撮像装置。
【請求項６】
前記撮像周期は前記発光周期よりも長い請求項１から５のいずれかに記載の撮像装置。
【請求項７】
前記照明装置は複数であって、所定の発光周期で各照明装置が１回ずつ発光を行う請求項１から６のいずれかに記載の撮像装置。
【請求項８】
信号処理部をさらに備え、
前記撮像素子は、反射光を撮像して撮像データを出力し、
前記信号処理部は、撮像データを用いて露出を決定する請求項１から７のいずれかに記載の撮像装置。
【請求項９】
請求項１に記載の撮像装置と、前記照明装置とを備える撮像システム。
【請求項１０】
照明光が被写体に反射して生成される反射光を所定の撮像周期で２回以上の所定撮像回数だけ撮像する処理に応じて、所定の発光周期で前記所定撮像回数と等しい所定発光回数だけ発光を行う照明装置を制御する方法であって、
前記所定撮像回数のうち最終回の撮像が終了する最終撮像終了時期を検知するステップと、
前記最終撮像終了時期よりも後に、前記所定発光回数のうち最終回の発光が終了する最終発光終了時期を決定するステップと、
前記所定撮像回数のうち初回の撮像が開始する初回撮像開始時期を検知するステップと、
前記初回撮像開始時期よりも前に、前記所定発光回数のうち初回の発光が開始する初回発光開始時期を決定するステップと
前記最終発光終了時期及び前記初回発光開始時期に応じて前記照明装置の発光時期を制御するステップと
を備える制御方法。
【発明の詳細な説明】
【技術分野】
【０００１】
本発明は、照明装置の制御を行う撮像装置、撮像システム、及び制御方法に関する。
【背景技術】
【０００２】
複数のフラッシュ（照明装置）とレンズ交換式一眼レフレックスカメラとを備えるフラッシュ撮影システムが知られている。カメラは、複数のフラッシュ（照明装置）を順に発光させるため、次回の発光が一回目か二回目かを判断し、測光を行う期間を決定し、複数のフラッシュにそれぞれ発光開始信号を送信する。複数のフラッシュは、発光開始信号を受信したときに発光し、カメラは測光を行う（特許文献１）。
【先行技術文献】
【特許文献】
【０００３】
【特許文献１】特開昭６０−１９５５３４号公報
【発明の概要】
【発明が解決しようとする課題】
【０００４】
しかし、フラッシュには、発光間隔が予め決まっていて変更できないものがある。また、撮像素子を用いて撮像を繰り返すとき、撮像素子の性能上、撮像間隔を所定値以下にできない。このようなフラッシュ及び撮像素子を用いて撮像を反復する場合、撮像素子の露光期間がフラッシュの発光期間とずれてしまい、被写体像を正確に露光、あるいは測光できなくなるおそれが生じる。
【０００５】
本発明はこれらの問題に鑑みてなされたものであり、照明装置が複数回に渡って発光する場合であっても、正確に露光又は測光する撮像装置、撮像システム、及び制御方法を得ることを目的とする。
【課題を解決するための手段】
【０００６】
本願第１の発明による撮像装置は、所定の発光周期（Ｔ２）で２回以上の所定発光回数だけ発光を行う照明装置と共に使用される撮像装置であって、照明装置が照明光を発光する時期を制御する発光制御部と、照明光が被写体に反射して生成される反射光を所定の撮像周期（Ｔ３）で所定発光回数と等しい所定撮像回数だけ撮像する撮像素子とを備え、発光制御部は、所定撮像回数のうち初回の撮像が開始する時期よりも前に、所定発光回数のうち初回の発光が開始するように、かつ所定撮像回数のうち最終回の撮像が終了する時期よりも後に、所定発光回数のうち最終回の発光が終了するように、照明装置を制御することを特徴とする。
【０００７】
撮像装置は電子シャッターを備え、撮像装置が今回の撮像を終了してから少なくとも今回の発光が終了するまで電子シャッターが閉じることが好ましい。次回の露光期間に今回の発光期間が被ってしまい、次回の露光に今回の発光が影響することを防止できる。
【０００８】
照明装置は、１回の発光につき所定の発光期間（Ｔ１）だけ発光を行い、撮像素子は、１回の撮像につき所定の露光期間（Ｔ４）だけ露光して撮像を行い、発光制御部は、撮像周期が発光周期よりも長い場合、全ての発光回数において露光期間が発光期間に含まれるように、初回の発光時期を制御することが好ましい。各発光期間に各露光期間を確実に含ませることができる。
【０００９】
発光制御部は、所定撮像回数のうち初回の撮像を開始する時期と、所定発光回数のうち初回の発光が開始する時期との期間が第１の不安定期間以上となるように、照明装置を制御することが好ましい。不安定な光量の下で測光を行うことを防止できる。
【００１０】
発光制御部は、所定撮像回数のうち最終回の撮像を終了する時期と、所定発光回数のうち最終回の発光が終了する時期との期間が第２の不安定期間以上となるように、照明装置を制御することが好ましい。不安定な光量の下で測光を行うことを防止できる。
【００１１】
撮像周期（Ｔ３）は発光周期（Ｔ２）よりも長いことが好ましい。
【００１２】
照明装置は複数であって、所定の発光周期（Ｔ２）で各照明装置が１回ずつ発光を行うことが好ましい。
【００１３】
信号処理部をさらに備え、撮像素子は、反射光を撮像して撮像データを出力し、信号処理部は、撮像データを用いて露出を決定することが好ましい。
【００１４】
本願第２の発明による撮像システムは、前記撮像装置と、照明装置とを備えることを特徴とする。
【００１５】
本願第３の発明による制御方法は、照明光が被写体に反射して生成される反射光を所定の撮像周期（Ｔ３）で２回以上の所定撮像回数だけ撮像する処理に応じて、所定の発光周期（Ｔ２）で所定撮像回数と等しい所定発光回数だけ発光を行う照明装置を制御する方法であって、所定撮像回数のうち最終回の撮像が終了する最終撮像終了時期を検知するステップと、最終撮像終了時期よりも後に、所定発光回数のうち最終回の発光が終了する最終発光終了時期を決定するステップと、所定撮像回数のうち初回の撮像が開始する初回撮像開始時期を検知するステップと、初回撮像開始時期よりも前に、所定発光回数のうち初回の発光が開始する初回発光開始時期を決定するステップと、最終発光終了時期及び初回発光開始時期に応じて照明装置の発光時期を制御するステップとを備えることを特徴とする。
【発明の効果】
【００１６】
本発明によれば、照明装置が複数回に渡って発光する場合であっても、正確に露光又は測光する撮像装置、撮像システム、及び制御方法を得る。
【図面の簡単な説明】
【００１７】
【図１】本実施形態による撮像装置を概略的に示したブロック図である。
【図２】撮像装置及び照明装置を概略的に示したブロック図である。
【図３】発光制御処理の比較例を示したタイミングチャートである。
【図４】発光制御処理を示したタイミングチャートである。
【発明を実施するための形態】
【００１８】
以下、本願発明の一実施形態による撮像システム１００について図を用いて説明する。まず、図１を用いて撮像システム１００の構成について説明する。
【００１９】
撮像システム１００は、撮像装置であるデジタルカメラ１１０と、照明装置である第１のフラッシュ２０１及び第２のフラッシュ２０２とを備える。
【００２０】
デジタルカメラ１１０は、撮像レンズ１２０と、カメラボディ１３０とを主に備える。
【００２１】
撮像レンズ１２０は、ズームレンズ１２１と、絞り羽根１２２と、合焦レンズ１２３とを備える。ズームレンズ１２１は、光軸上を進退して、撮像レンズ１２０の画角を変更する。絞り羽根１２２は、後述する絞り羽根モータ１３６により駆動されて開閉する。合焦レンズ１２３は、後述する合焦モータ１３５により駆動されて、光軸上を進退し、これにより、後述する撮像用ＣＣＤ１３１に被写体像を結像させる。
【００２２】
カメラボディ１３０は、撮像用ＣＣＤ１３１と、シャッター幕１３２と、リターンミラー１３３と、ＡＦセンサ１３４と、合焦モータ１３５と、絞り羽根モータ１３６と、補助ＬＥＤ１３７と、撮像素子である測光用ＣＣＤ１３８と、接眼レンズ１３９と、ペンタプリズム１４０とを主に備える。
【００２３】
撮像用ＣＣＤ１３１は、撮像レンズ１２０を介して受光した被写体像を撮像して、画像データを出力する。
【００２４】
シャッター幕１３２は、フォーカルプレーンシャッターであって、撮影時に駆動される。
【００２５】
リターンミラー１３３は、ハーフミラーであって、撮影前においては光路上に位置し、被写体像の一部をサブミラー１４１に向けて透過し、被写体像の一部をペンタプリズム１４０に向けて反射する。リターンミラー１３３は、撮影中においては、格納位置１３３ａに移動される。これにより、被写体像が撮像用ＣＣＤ１３１に結像する。
【００２６】
サブミラー１４１は、被写体像をＡＦセンサ１３４に向けて反射する。ＡＦセンサ１３４は、位相差センサであって、被写体像が撮像用ＣＣＤ１３１に結像しているか否かを判断する。
【００２７】
合焦モータ１３５は、ＡＦセンサ１３４の判断に応じて合焦レンズ１２３を駆動する。
【００２８】
絞り羽根モータ１３６は、測光用ＣＣＤ１３８が測定した値に基づいて、絞り羽根１２２を駆動する。
【００２９】
補助ＬＥＤ１３７は、オートフォーカスを行うときに光が十分でないときに発光する。このとき、ＡＦセンサ１３４は、補助ＬＥＤ１３７からの光を用いて、被写体像が撮像用ＣＣＤ１３１に結像しているか否かを判断する。
【００３０】
ペンタプリズム１４０は、リターンミラー１３３からの被写体像を受光した後、反射面１４０ａ及び１４０ｂで反射して、被写体像を測光用ＣＣＤ１３８及び接眼レンズ１３９に向けて出射する。
【００３１】
測光用ＣＣＤ１３８は、照明光が被写体に反射して生成される反射光を撮像レンズ１２０及びペンタプリズム１４０等を介して受光して撮像し、測光データを出力する。言い換えると、測光用ＣＣＤ１３８は、被写体像の光量を測定して、測光データを出力する。測光用ＣＣＤ１３８は、被写体像を反復して撮像することができるが、測光用ＣＣＤ１３８の性能上、撮像と撮像との間に少なくとも所定の期間をおかなくてはならない。この所定の期間を最短撮像周期という。
【００３２】
ユーザは、接眼レンズ１３９を介して被写体像を観察する。
【００３３】
第１のフラッシュ２０１及び第２のフラッシュ２０２は、ケーブル２０４を介してデジタルカメラ１１０に接続される。
【００３４】
次に、図２を用いてデジタルカメラ１１０が備える電気的回路について説明する。
【００３５】
デジタルカメラ１１０は、測光用ＣＣＤ１３８と、ＡＦＥ１５０と、発光制御部及び信号処理部を成すＤＳＰ１６０と、ＳＤＲＡＭ１７１と、ＲＯＭ１７２と、内蔵フラッシュ２０３とを備える。
【００３６】
ＡＦＥ１５０は、ＣＤＳ１５１、ＡＧＣ１５２、Ａ／Ｄコンバータ１５３、及びＴＧ１５４を備える。ＡＦＥ１５０が測光用ＣＣＤ１３８から測光データを受信すると、ＣＤＳ１５１は測光データをサンプリングし、ＡＧＣ１５２はサンプリングした測光データのゲインを調整する。Ａ／Ｄコンバータ１５３は、ＡＧＣ１５２から測光データを受信してデジタルデータに変換した後、ＤＳＰ１６０に送信する。ＴＧ１５４は、ＤＳＰ１６０からクロックを受信して、同期信号、垂直同期信号（ＶＤ）、ＳＵＢ信号、及びセンサゲート信号（ＳＧ）を生成し、測光用ＣＣＤ１３８、ＣＤＳ１５１、ＡＧＣ１５２、及びＡ／Ｄコンバータ１５３に送信する。測光用ＣＣＤ１３８、ＣＤＳ１５１、ＡＧＣ１５２、及びＡ／Ｄコンバータ１５３は、同期信号に合わせて動作する。
【００３７】
ＳＵＢ信号は、測光用ＣＣＤ１３８に露光を開始させる信号である。ＳＵＢ信号がＨｉであるとき、測光用ＣＣＤ１３８は、蓄積した電荷を全て放出し、Ｌｏであるとき電荷の蓄積を行う。センサゲート信号は、測光用ＣＣＤ１３８に露光を終了させる信号である。センサゲート信号がＨｉになったとき、測光用ＣＣＤ１３８は、蓄積した電荷を全て出力する。ＳＵＢ信号及びセンサゲート信号は、いわゆる電子シャッターの機能を有する。ＳＵＢ信号がＬｏになったときからセンサゲート信号がＨｉになるまで電子シャッターが開けられて、測光用ＣＣＤ１３８が露光し、電荷を蓄積する。その他の期間では、電子シャッターが閉じられる。
【００３８】
ＤＳＰ１６０は、ＣＰＵブロック１６２と、ＣＣＤＩ／Ｆ１６１とを主に備え、ＳＤＲＡＭ１７１及びＲＯＭ１７２に接続される。ＲＯＭ１７２は、ＤＳＰ１６０の制御プログラムを記憶しており、ＤＳＰ１６０は、ＲＯＭ１７２から制御プログラムを読み出して実行する。
【００３９】
ＣＣＤＩ／Ｆ１６１は、ＡＦＥ１５０から測光データを受信して、ＣＰＵブロック１６２に送信する。ＣＰＵブロック１６２は、測光データを受信して、ＳＤＲＡＭ１７１に記憶させる。
【００４０】
ＣＰＵブロック１６２は、第１のフラッシュ２０１、第２のフラッシュ２０２、及び内部フラッシュに接続され、これらに発光信号を送信する。第１のフラッシュ２０１、第２のフラッシュ２０２、及び内部フラッシュは、ＣＰＵブロック１６２から発光信号を受信したときに発光する。
【００４１】
第１のフラッシュ２０１及び第２のフラッシュ２０２は、プリ発光可能である。プリ発光とは、本番の撮影を行う前に行う試験的な発光であって、例えば数十Ｈｚの周期で間欠発光するフラット発光を所定の発光期間だけ行う発光方法である。
【００４２】
複数のフラッシュを用いてプリ発光する場合、各フラッシュが順に所定の発光期間だけフラット発光を行う。すなわち、第１のフラッシュ２０１が所定の発光期間だけフラット発光を行った後に、第２のフラッシュ２０２が所定の発光期間だけフラット発光を行い、プリ発光を終了する。１つのフラッシュが発光を開始した瞬間から次のフラッシュが発光を開始する瞬間までの期間を発光周期と呼ぶ。発光期間及び発光周期は、規定の値であって、デジタルカメラ１１０が変更することはできない。第１のフラッシュ２０１及び第２のフラッシュ２０２の発光周期は、最短撮像周期よりも短い。
【００４３】
複数のフラッシュを用いてプリ発光する場合、ＣＰＵブロック１６２は、ＴＧ１５４が出力する同期信号に同期して、第１のフラッシュ２０１及び第２のフラッシュ２０２に発光信号を送信する。撮像素子は、これに合わせて撮像を行い、測光データを出力する。ＤＳＰ１６０は、測光データを処理して、プリ発光による明るさを測定する。
【００４４】
次に図３を用いて、比較例によるタイミングチャートについて説明する。比較例は、本実施形態による処理を行わずに、第１のフラッシュ２０１及び第２のフラッシュ２０２を使用してプリ発光を行い、測光用ＣＣＤ１３８が測光を行う処理を示したものである。前述のように、第１のフラッシュ２０１及び第２のフラッシュ２０２の発光期間Ｔ１及び発光周期Ｔ２は、規定の値であって、デジタルカメラ１１０が変更することはできず、それらの発光周期Ｔ２は、測光用ＣＣＤ１３８の最短撮像周期よりも短い。そして、測光用ＣＣＤ１３８は、最短撮像周期で動作している。
【００４５】
まず、プリ発光のタイミングについて説明する。始めに、第１のフラッシュ２０１が所定の発光期間Ｔ１だけフラット発光を行う。次に、第１のフラッシュ２０１がフラット発光を開始した時から所定の発光周期Ｔ２をおいた後に、第２のフラッシュ２０２が発光期間Ｔ１だけフラット発光を行う。そして、プリ発光を終了する。
【００４６】
次に、測光用ＣＣＤ１３８の撮像タイミングについて説明する。ＳＵＢ信号がＨｉからＬｏになったときに、電子シャッターが開けられて、測光用ＣＣＤ１３８が露光し、電荷を蓄積し始める。次に、センサゲート信号がＨｉになると、測光用ＣＣＤ１３８が電荷を出力する。これにより、測光データが出力される。ＳＵＢ信号がＬｏになったときからセンサゲート信号がＨｉになるまでの期間が露光期間Ｔ４である。そして、ＳＵＢ信号がＬｏになった時から次にＬｏになるまで所定の撮像周期Ｔ３をおいた後に、再度露光期間Ｔ４が開始され、測光用ＣＣＤ１３８が露光し、測光データを出力する。そして、撮像を終了する。
【００４７】
ここで、第２のフラッシュ２０２の発光期間Ｔ１は、測光用ＣＣＤ１３８による２回目の露光期間Ｔ４を全て含まない。そのため、２回目の露光期間Ｔ４において測光用ＣＣＤ１３８が出力した測光データは、第２のフラッシュ２０２による照明光の光量を反映しないものになる。よって、これを元にＤＳＰ１６０がプリ発光の明るさを判断しても、プリ発光の明るさを正確に判断できないことになる。他方、前述のように、第１のフラッシュ２０１及び第２のフラッシュ２０２の発光期間Ｔ１及び発光周期Ｔ２は規定の値であるため、第１のフラッシュ２０１及び第２のフラッシュ２０２の発光期間Ｔ１及び発光周期Ｔ２を変更して露光期間Ｔ４及び撮像周期Ｔ３に合わせることはできない。また、測光用ＣＣＤ１３８は最短撮像周期で動作しているため、撮像周期Ｔ３を短くして発光期間Ｔ１に露光期間Ｔ４を合わせることもできない。露光期間Ｔ４も必要最低限の期間であるため、変更することができない。そこで、本実施形態では、図４に示す発光制御処理を行い、第１のフラッシュ２０１及び第２のフラッシュ２０２による照明光の光量を十分に反映した測光データを得る。
【００４８】
図４は、発光制御処理によるタイミングチャートを示す。
【００４９】
まず、プリ発光のタイミングについて説明する。ＤＳＰ１６０は、所定撮像回数のうち初回の撮像が開始する時期よりも前に、所定発光回数のうち初回の発光が開始するように、かつ所定撮像回数のうち最終回の撮像が終了する時期よりも後に、所定発光回数のうち最終回の発光が終了するように、第１のフラッシュ２０１及び第２のフラッシュ２０２を制御する。具体的には、前述のように測光用ＣＣＤ１３８の撮像周期Ｔ３を変更できないため、第１のフラッシュ２０１及び第２のフラッシュ２０２の発光タイミングを変更する。まず、ＤＳＰ１６０は、２回の撮像回数のうち最終回、すなわち２回目の撮像が終了する時期よりも不安定期間Ｔ６だけ後に、第２のフラッシュ２０２の発光が終了する時期を決定する。そして、その発光が終了する時期に基づいて１回目の撮像が開始する時期を決定し、その撮像が開始する時期よりも不安定期間Ｔ５だけ前に、第１のフラッシュ２０１の発光が開始するように第１のフラッシュ２０１の発光時期を決定する。そして、第１のフラッシュ２０１の発光時期及び第２のフラッシュ２０２の発光時期に応じて、発光信号を第１のフラッシュ２０１及び第２のフラッシュ２０２に各々送信する。不安定期間Ｔ５及び不安定期間Ｔ６は、第１のフラッシュ２０１及び第２のフラッシュ２０２による発光が不安定になる期間である。第１のフラッシュ２０１及び第２のフラッシュ２０２は、発光開始直後の不安定期間Ｔ５及び発光終了間際の不安定期間Ｔ６に光量が不安定になるため、これら不安定期間Ｔ５及び不安定期間Ｔ６を露光期間Ｔ４が含まないようにすることにより、不安定な光量の下で測光を行うことを防止できる。これにより、次のように第１のフラッシュ２０１及び第２のフラッシュ２０２が発光する。始めに、第１のフラッシュ２０１が所定の発光期間Ｔ１だけフラット発光を行う。次に、第１のフラッシュ２０１がフラット発光を開始した時から所定の発光周期Ｔ２をおいた後に、第２のフラッシュ２０２が発光期間Ｔ１だけフラット発光を行う。そして、プリ発光を終了する。
【００５０】
次に、測光用ＣＣＤ１３８の撮像タイミングについて説明する。ＳＵＢ信号がＨｉからＬｏになったときに、電子シャッターが開けられて、測光用ＣＣＤ１３８が露光し、電荷を蓄積し始める。次に、センサゲート信号がＨｉになると、測光用ＣＣＤ１３８が電荷を出力する。これにより、測光データが出力される。ＳＵＢ信号がＬｏになったときからセンサゲート信号がＨｉになるまでの期間が露光期間Ｔ４である。
【００５１】
次に、ＳＵＢ信号をＨｉにする。そして、１回目にＳＵＢ信号がＬｏになった時から撮像周期Ｔ３をおいた後に、ＳＵＢ信号をＬｏにする。これにより、第１のフラッシュ２０１が終了するまで電子シャッターを閉じて、２回目の露光期間Ｔ４に１回目の発光期間Ｔ１が被ってしまい、２回目の露光に１回目の発光が影響することを防止できる。ＳＵＢ信号をＬｏにすると、再度露光期間Ｔ４が開始され、測光用ＣＣＤ１３８が露光し、測光データを出力する。そして、撮像を終了する。
【００５２】
ここで、第２のフラッシュ２０２の発光期間Ｔ１は、測光用ＣＣＤ１３８による２回目の露光期間Ｔ４を全て含む。そのため、２回目の露光期間Ｔ４において測光用ＣＣＤ１３８が出力した測光データは、第２のフラッシュ２０２による照明光の光量を反映する。よって、これを元にＤＳＰ１６０がプリ発光の明るさを判断すれば、プリ発光の明るさを正確に判断できる。
【００５３】
本実施形態によれば、フラッシュが複数回に渡って発光する場合であっても、正確に露光又は測光することができる。
【００５４】
また、電子シャッターを利用することにより、複数回の発光を同じ条件で測光することができる。
【００５５】
なお、フラッシュの数は２つに限定されず、複数であればよい。
【００５６】
また、第１のフラッシュ２０１及び第２のフラッシュ２０２は、ケーブル２０４でなく、無線によってデジタルカメラ１１０と接続されてもよい。
【００５７】
また、第１のフラッシュ２０１及び第２のフラッシュ２０２に加えて、あるいはこれらの代わりに、内蔵フラッシュ２０３を用いてもよい。
【００５８】
なお、いずれの実施形態においても。デジタルカメラ１１０は、いわゆるコンパクトカメラ、一眼レフカメラ、ミラーレス一眼カメラのいずれかであってもよい。
【００５９】
ＣＣＤの代わりに、ＣＭＯＳ（相補型金属酸化物半導体）撮像素子等の固体撮像素子を用いてもよい。
【符号の説明】
【００６０】
１００  撮像システム
１１０  デジタルカメラ
１２０  撮像レンズ
１２１  ズームレンズ
１２２  絞り羽根
１２３  合焦レンズ
１３０  カメラボディ
１３１  撮像用ＣＣＤ
１３２  シャッター幕
１３３  リターンミラー
１３３ａ  格納位置
１３４  ＡＦセンサ
１３５  合焦モータ
１３６  絞り羽根モータ
１３７  補助ＬＥＤ
１３８  測光用ＣＣＤ
１３９  接眼レンズ
１４０  ペンタプリズム
１４０ａ  反射面
１４１  サブミラー
１５０  ＡＦＥ
１５１  ＣＤＳ
１５２  ＡＧＣ
１５３  Ａ／Ｄコンバータ
１６０  ＤＳＰ
１６１  ＣＣＤＩ／Ｆ
１６２  ＣＰＵブロック
１７１  ＳＤＲＡＭ
１７２  ＲＯＭ
２０１  第１のフラッシュ
２０２  第２のフラッシュ
２０３  内蔵フラッシュ
２０４  ケーブル
【図１】
2015088838.tif 000003
【図２】
2015088838.tif 000004
【図３】
2015088838.tif 000005
【図４】
2015088838.tif 000006